(57)【要約】      （修正有）【課題】撮影に際して被写体の構図の決定並びに水平線，垂直線の確認が簡単にできる液晶モニター式光学機器を提供する。【解決手段】デジタルカメラ等の液晶モニター付き光学機器の利用者が，撮影に際して，被写体の構図の決定並びに水平線の位置の確認を容易にできるようにするために，液晶モニターの外枠の左右の同一位置に，同一格子線を設ける。デジタルカメラ等の液晶モニター付き光学機器の利用者が，撮影に際して，被写体の構図の決定並びに垂直線の位置の確認を容易にできるようにするために，液晶モニターの外枠の上下の同一位置に，同一格子線を設ける。以上の構成よりなる外付け格子線を設けた液晶モニター式の光学機器（デジタルカメラ，デジタルビデオカメラ，カメラ機能付携帯電話）を特徴とする。【選択図】図１
2005117601.tif 000002
【特許請求の範囲】
【請求項１】
デジタルカメラ等の液晶モニター式光学機器の液晶モニターの外枠部分に，構図決定並びに水平，垂直方向位置確認のための外付け格子線を設けた液晶モニター式光学機器（デジタルカメラ，デジタルビデオカメラ，カメラ機能忖携帯電話）
（１）液晶モニターの外枠部分の左右の同一位置に，構図決定及び水平方向位置確認のための外付け格子線を設ける。
（２）液晶モニターの外枠部分の上下の同一位置に，構図決定及び垂直方向位置確認のための外付け格子線を設ける。
以上の構成による液晶モニター式光学機器である。
ここで，外付け格子線とは，一般的な格子線がファインダー内又は液晶モニター内に設けてあり，必要に応じてグリッド表示されるのに対して，液晶モニターの外枠部分の左右，上下の同一位置に設けた格子線のことをいう。（以下同じ）
【発明の詳細な説明】
【発明の詳細な説明】
【技術分野】
【０００１】  この発明は，液晶モニター式光学機器の液晶モニターの外枠部分に，構図決定並びに水平・垂直方向位置確認のための外付け格子線を設けた液晶モニター式光学機器（デジタルカメラ，デジタルビデオカメラ，カメラ機能付携帯電話）に関するものである。
従来のカメラ等の光学機器は，ボデーの接眼部に付いたファインダーを通して被写体を見ており，ファインダーの視野（面積）の狭いことから，構図の決定とか左右・上下の水平・垂直位置の確認が比較的容易であった。
しかし，最近のデジタルカメラをはじめとする光学機器は，ファインダーを通して被写体を見るより，液晶モニターを通して見るほうが，被写体が見やすい。
このため，液晶モニターを利用して映像を撮る人が多くなっている。
これらの液晶モニターは，画面が１．５〜２．５インチとかなり広く，モニター画面が広いほど，全体像が見やすいため，近年，より広くなる傾向にある。
しかし，液晶モニターの画面が広くなると，被写体の全体像は見やすくなるものの，構図の決定並びに画面の左右の水平位置（例えば海）及び上下の垂直位置（例えば柱）の確認がしにくくなる。
このため，液晶モニター上に格子線を設ける方法，あるいは，格子線をあらかじめ印刷した透明式ラベルを液晶モニターに貼りつける方法等もみられるが，液晶モニター上の縦，横の格子線により画面が数ブロックに分割されてしまう。
このため，この格子線にまどわされて，構図の決定がしにくかったり，格子線にわざわいされ被写体が見づらくなる欠点がある。
このような欠点をなくし、構図の決定並びに水平線，垂直線の位置の確認を迅速に容易にできるようにするため，液晶モニターの外枠部分の同一位置に同一の外付け格子線を設けたのが本発明である。
外付け格子線の設置により，実際には液晶モニター上には格子線の表示がないにもかかわらず，撮影者は撮影に際し，あたかも液晶モニター上に格子線が表示されているような感覚で，外付け格子線を利用して迅速かつ快適に撮影を行うことができる。
【背景技術】
【０００２】  従来，外付け格子線を設けたデジタルカメラ等の光学機器はなかった。
液晶モニター上に格子線を設ける方法，あるいは，格子線をあらかじ印刷した透明式ラベルを液晶モニターに張りつける方法もあるが，画面が見にくくなる欠点がある。
【発明が解決しょうとする課題】
【０００３】  これは，次のような欠点があった。
（１）デジタルカメラ等の光学機器の利用者は，使用に際して，液晶モニターの画面を見ながら，経験と勘により，構図の決定並びに水平及び垂直方向の位置を確認するが，モニターの画面が広いため，構図の決定及び位置確認に時間がかかり，折角のシャッターチャンスを逃すことが多い。
（２）撮影後の写真等の映像をみてみると，水平及び垂直方向の位置が曲がっていることが多い。
本発明は，このような課題を解決し，デジタルカメラ等の光学機器を迅速に，容易に，快適に使用できるようにしたものである。
【課題を解決するための手段】
【０００４】  （１）被写体の構図の決定並びに水平線の位置の確認を容易にできるようにするために，液晶モニターの外枠の左右の同一位置に，同一格子線を設ける。
（２）被写体の構図の決定並びに垂直線の位置の確認を容易にできるようにするために，液晶モニターの外枠の上下の同一位置に，同一格子線を設ける。
本発明は，以上の構成よりなる，外付け格子線を設けた液晶モニター式の光学機器（デジタルカメラ，デジタルビデオカメラ，カメラ機能付携帯電話）である。
【発明を実施するための最良の形態】
【０００５】  以下，発明の実施の形態について説明する。
（１）デジタルカメラ等の液晶モニター付き光学機器の利用者が，撮影に際して，被写体の構図の決定並びに水平線の位置の確認を容易にできるようにするために，液晶モニターの外枠の左右の同一位置に，同一格子線を設ける。
（２）デジタルカメラ等の液晶モニター付き光学機器の利用者が，撮影に際して，被写体の構図の決定並びに垂直線の位置の確認を容易にできるようにするために，液晶モニターの外枠の上下の同一位置に，同一格子線を設ける。
本発明は，以上のような構造で，外付け格子線を設けた液晶モニター式の光学機器の利用者は，撮影に際して，被写体の構図の決定のために外付け格子線を利用するとともに，海等の水平線を確保したいと思えば，液晶モニターの外枠の左右の同一位置に設けてある外付け格子線に被写体の水平線を合わせればよく，また，柱等の垂直線を確保したいと思えば，液晶モニターの外枠の上下の同一位置に設けてある外付け格子線に被写体の垂直線を合わせるようにすればよい。
これらの行動は，液晶モニターの外枠の左右，上下の同一位置に，同一の外付け格子線が設けられていることにより，特別に操作しなくても，無意識に構図の決定並びに水平線，垂直線の確保が，迅速に，的確に，快適に行われるものと思われる。
【発明の効果】
【０００６】  （１）デジタルカメラ等の光学機器を使用する人の立場からすると，撮影する時に，被写体の構図の決定並びに水平，垂直方向の位置の確認が迅速に簡単に快適に行え，シャッターチャンスを逃さない。
（２）このような被写体の構図の決定並びに水平，垂直方向の位置確認のための外付け格子線を設けた液晶モニター式光学機器の製造にあたっては，特別の設計変更，新たな大規模製造機械の導入等を必要としないため，新たな投資も不要と思われ，利用者にとって購入価格の高騰をきたすおそれもないと思われる。
（３）デジタルカメラ等の光学機器を製造，販売する側の立場からすると，被写体の構図の決定並びに水平，垂直方向の位置確認のための外付け格子線を設けた液晶モニター式光学機器の製造にあたっては，特別の設計変更，新たな大規模製造機械を導入することなく，製造過程で，液晶モニター式光学機器の液晶モニターの外枠部分に外付け格子線を設けるだけで済み，製造方法，製造期間，販売価格等への影響もほとんどないと思われる。
（４）既に発売されている液晶モニター内にグリッド表示機能を持つ光学機器についても，外付け格子線を設けることにより，必要に応じて内部格子線と外付け格子線を使い分けることにより，さらに利便性が高まると思われる。
2005117601.tif 000003
【図１】
2005117601.tif 000004
【手続補正書】
【提出日】平成16年1月9日(2004.1.9)
【手続補正２】
【補正対象書類名】明細書
【補正対象項目名】全文
【補正方法】変更
【補正の内容】
【発明の詳細な説明】
【技術分野】
【０００１】  この発明は，液晶モニター式光学機器の液晶モニターの外枠部分に，構図決定並びに水平・垂直方向位置確認のための外付け格子線を設けた液晶モニター式光学機器（デジタルカメラ，デジタルビデオカメラ，カメラ機能付携帯電話）に関するものである。
【背景技術】
【０００２】  従来，外付け格子線を設けたデジタルカメラ等の光学機器はなかった。
液晶モニター上に格子線を設ける方法，あるいは，格子線をあらかじ印刷した透明式ラベルを液晶モニターに張りつける方法もあるが，画面が見にくくなる欠点がある。
【発明が解決しょうとする課題】
【０００３】  これは，次のような欠点があった。
（１）デジタルカメラ等の光学機器の利用者は，使用に際して，液晶モニターの画面を見ながら，経験と勘により，構図の決定並びに水平及び垂直方向の位置を確認するが，モニターの画面が広いため，構図の決定及び位置確認に時間がかかり，折角のシャッターチャンスを逃すことが多い。
（２）撮影後の写真等の映像をみてみると，水平及び垂直方向の位置が曲がっていることが多い。
本発明は，このような課題を解決し，デジタルカメラ等の光学機器を迅速に，容易に，快適に使用できるようにしたものである。
【課題を解決するための手段】
【０００４】（１）被写体の構図の決定並びに水平線の位置の確認を容易にできるようにするために，液晶モニターの外枠の左右の同一位置に，同一格子線を設ける。
（２）被写体の構図の決定並びに垂直線の位置の確認を容易にできるようにするために，液晶モニターの外枠の上下の同一位置に，同一格子線を設ける。
本発明は，以上の構成よりなる，外付け格子線を設けた液晶モニター式の光学機器（デジタルカメラ，デジタルビデオカメラ，カメラ機能付携帯電話）である。
【発明を実施するための最良の形態】
【０００５】  以下，発明を実施するための最良の形態を説明する。
（１）デジタルカメラ等の液晶モニター付き光学機器の利用者が，撮影に際して，被写体の構図の決定並びに水平線の位置の確認を容易にできるようにするために，液晶モニターの外枠の左右の同一位置に，同一格子線を設ける。
（２）デジタルカメラ等の液晶モニター付き光学機器の利用者が，撮影に際して，被写体の構図の決定並びに垂直線の位置の確認を容易にできるようにするために，液晶モニターの外枠の上下の同一位置に，同一格子線を設ける。
本発明は，以上のような構造で，外付け格子線を設けた液晶モニター式の光学機器の利用者は，撮影に際して，被写体の構図の決定のために外付け格子線を利用するとともに，海等の水平線を確保したいと思えば，液晶モニターの外枠の左右の同一位置に設けてある外付け格子線に被写体の水平線を合わせればよく，また，柱等の垂直線を確保したいと思えば，液晶モニターの外枠の上下の同一位置に設けてある外付け格子線に被写体の垂直線を合わせるようにすればよい。
これらの行動は，液晶モニターの外枠の左右，上下の同一位置に，同一の外付け格子線が設けられていることにより，特別に操作しなくても，無意識に構図の決定並びに水平線，垂直線の確保が，迅速に，的確に，快適に行われるものと思われる。
【発明の効果】
【０００６】（１）デジタルカメラ等の光学機器を使用する人の立場からすると，撮影する時に，被写体の構図の決定並びに水平，垂直方向の位置の確認が迅速に簡単に快適に行え，シャッターチャンスを逃さない。
（２）このような被写体の構図の決定並びに水平，垂直方向の位置確認のための外付け格子線を設けた液晶モニター式光学機器の製造にあたっては，特別の設計変更，新たな大規模製造機械の導入等を必要としないため，新たな投資も不要と思われ，利用者にとって購入価格の高騰をきたすおそれもないと思われる。
（３）デジタルカメラ等の光学機器を製造，販売する側の立場からすると，被写体の構図の決定並びに水平，垂直方向の位置確認のための外付け格子線を設けた液晶モニター式光学機器の製造にあたっては，特別の設計変更，新たな大規模製造機械を導入することなく，製造過程で，液晶モニター式光学機器の液晶モニターの外枠部分に外付け格子線を設けるだけで済み，製造方法，製造期間，販売価格等への影響もほとんどないと思われる。
（４）既に発売されている液晶モニター内にグリッド表示機能を持つ光学機器についても，外付け格子線を設けることにより，必要に応じて内部格子線と外付け格子線を使い分けることにより，さらに利便性が高まると思われる。
【図面の簡単な説明】
【０００７】
【図１】  本発明の正面図である。（デジタルカメラ）
【符号の説明】
【０００８】  １  液晶モニター
２  構図決定及び水平方向位置確認のための外付け格子線
３  構図決定及び垂直方向位置確認のための外付け格子線
４  透視式ファインダー
５  メニューボタン
【手続補正３】
【補正対象書類名】図面
【補正対象項目名】全図
【補正方法】変更
【補正の内容】
【図１】
2005117601.tif 000005